(57)【要約】【課題】エスカレータの傾斜部において、安定した状態で移動することができるエスカレータの作業用足場を提供することである。【解決手段】ステップ２０を取り外して作業する際に、隣接するステップ軸２２間に取り付けられるエスカレータの作業用足場１０であって、隣接するステップ軸２２間に形成される開口部の段差領域を覆う傾斜板２６と、開口部の水平領域を覆う足場板２８と、傾斜板２６と足場板２８とを回動可能に連結する連結部３０と、を備え、傾斜板２６及び足場板２８のステップ軸２２の軸方向と直交する方向に沿った長さをそれぞれＬＵ，ＬＤとし、隣接するステップ軸２２間の長さをＬＳとしたときに、ＬＵ＋ＬＤ＞ＬＳの関係式を満たす。【選択図】図２
2015020844.tif 000002
【特許請求の範囲】
【請求項１】
エスカレータ用ステップを取り外して作業する際に、隣接するステップ軸間に取り付けられるエスカレータの作業用足場であって、
前記隣接するステップ軸間に形成される開口部の段差領域を覆う傾斜板と、
前記開口部の水平領域を覆う足場板と、
前記傾斜板と前記足場板とを回動可能に連結する連結部と、
を備え、
前記傾斜板及び前記足場板の前記ステップ軸の軸方向と直交する方向に沿った長さをそれぞれＬＵ，ＬＤとし、前記隣接するステップ軸間の長さをＬＳとしたときに、ＬＵ＋ＬＤ＞ＬＳの関係式を満たすことを特徴とするエスカレータの作業用足場。
【請求項２】
請求項１に記載のエスカレータの作業用足場において、
ＬＵ＜ＬＤの関係式を満たすことを特徴とするエスカレータの作業用足場。
【発明の詳細な説明】
【技術分野】
【０００１】
本発明は、エスカレータの作業用足場に係り、特に、エスカレータ用ステップを取り外して作業する際に、隣接するステップ軸間に取り付けられるエスカレータの作業用足場に関する。
【背景技術】
【０００２】
現在、商業施設等の様々な場所にエスカレータが設置されているが、エスカレータを商業施設等に新たに設置する据付作業や、設置したエスカレータを機能維持するため部品の点検、調整、交換などを行う保守作業、或いは古くなったエスカレータを機能更新のために新しいエスカレータに取り替える改修作業などが作業員によって行われている。これら作業の一環として、複数のステップを連続して取り外した状態で、作業が行われることがあり、このとき、作業員は、ステップ軸に足を掛けた状態でステップ軸間を移動することがある。これでは、作業員が安定した状態で移動することができないため、隣接するステップ軸間に作業用足場を設置することが望ましい。
【０００３】
本発明に関連する技術として、例えば、特許文献１には、ステップを取り外して保守点検作業を行う際に、ステップチェーンに取り付けられるエスカレータ点検用足場装置が開示されている。ここでは、足場装置として階段状の踏段を設置することが開示されている。
【先行技術文献】
【特許文献】
【０００４】
【特許文献１】特開平１１−１３９７４６号公報
【発明の概要】
【発明が解決しようとする課題】
【０００５】
エスカレータは、乗客を斜め方向に移動させる傾斜部と、乗客を水平方向に移動させて乗降をさせるための直線部とを備えている。エスカレータの大部分を占める傾斜部は、一般的に、３０度〜３５度の傾斜角度に設定されている。このため、傾斜部において、隣接するステップ軸間の傾斜角度は、３０度〜３５度となる。仮に、隣接するステップ軸間に一枚板の足場を設置すると、エスカレータの大部分を占める傾斜部において、作業員が傾いた状態で立つ必要があり、これでは安定した状態で移動することができない。
【０００６】
本発明の目的は、傾斜部において安定した状態で移動することができるエスカレータの作業用足場を提供することである。
【課題を解決するための手段】
【０００７】
本発明に係るエスカレータの作業用足場は、エスカレータ用ステップを取り外して作業する際に、隣接するステップ軸間に取り付けられるエスカレータの作業用足場であって、前記隣接するステップ軸間に形成される開口部の段差領域を覆う傾斜板と、前記開口部の水平領域を覆う足場板と、前記傾斜板と前記足場板とを回動可能に連結する連結部と、を備え、前記傾斜板及び前記足場板の前記ステップ軸の軸方向と直交する方向に沿った長さをそれぞれＬＵ，ＬＤとし、前記隣接するステップ軸間の長さをＬＳとしたときに、ＬＵ＋ＬＤ＞ＬＳの関係式を満たすことを特徴とする。
【０００８】
また、本発明に係るエスカレータの作業用足場において、ＬＵ＜ＬＤの関係式を満たすことが好ましい。
【発明の効果】
【０００９】
本発明によれば、傾斜板と足場板とが回動可能に連結される。そして、傾斜板及び足場板のステップ軸の軸方向と直交する方向に沿った長さそれぞれＬＵ，ＬＤとし、隣接するステップ軸間の長さをＬＳとしたときに、ＬＵ＋ＬＤ＞ＬＳの関係式を満たす。これにより、隣接するステップ軸間の傾斜角度に比べて、足場板の傾斜角度を緩やかにすることができる。したがって、足場板をほぼ水平な状態にすることができるため、作業員は安定した状態で移動することができる。
【図面の簡単な説明】
【００１０】
【図１】本発明に係る実施の形態におけるエスカレータを示す構成図である。
【図２】本発明に係る実施の形態の作業用足場の側面図である。
【図３】本発明に係る実施の形態において、ステップ軸に取り付けられた３つの作業用足場の側面図である。
【図４】図３の３つの作業用足場の平面図である。
【発明を実施するための形態】
【００１１】
以下に図面を用いて本発明に係る実施の形態につき、詳細に説明する。また、以下では、全ての図面において対応する要素には同一の符号を付し、重複する説明を省略する。
【００１２】
図１は、エスカレータ１２を示す構成図である。エスカレータ１２は、乗客１４を斜め方向に移動させる傾斜部１６と、乗客１４を水平方向に移動させて乗降をさせるための直線部１８とを備えている。図１に示されるように、エスカレータ１２の大部分を占める傾斜部１６の傾斜角度は、一般的に、水平面に対して３０度〜３５度となるように設定されている。
【００１３】
エスカレータ１２のステップ２０は、ステップ軸２２に取り付けられる。エスカレータ１２の通常運転時に、乗客１４はステップ２０の踏板面に乗った状態で昇降移動する。
【００１４】
複数のステップ軸２２は、図１に示されるように、所定の間隔をあけて配置されている。隣接するステップ軸２２間の傾斜角度は、傾斜部１６では、水平面に対して３０度〜３５度である。
【００１５】
図２は、エスカレータ１２の作業用足場１０の側面図である。図３は、ステップ軸２２に取り付けられた３つの作業用足場１０の側面図である。図４は、図３における３つの作業用足場１０の平面図である。作業用足場１０は、作業員がステップ２０を取り外して、例えば、トラス内の部品の点検、調整、交換等の保守点検作業を行う際に、隣接するステップ軸２２間に取り付けられる。
【００１６】
傾斜板２６は、隣接するステップ軸２２間に形成されるトラス２４の段差領域２７を覆う平板である。傾斜板２６は、適当な強度を有する材料で構成され、例えば、ステンレスを用いて構成される。
【００１７】
足場板２８は、開口部２４の水平領域２９を覆う平板である。足場板２８は、適当な強度を有する材料で構成され、例えば、ステンレスを用いて構成されるが、傾斜板２６と異なる材料で構成してもよい。
【００１８】
ここで、図２に示されるように、傾斜板２６及び足場板２８のステップ軸２２の軸方向と直交する方向に沿った長さをそれぞれＬＵ，ＬＤとし、隣接するステップ軸２２間の長さをＬＳとしたときに、ＬＵ＋ＬＤ＞ＬＳの関係式を満たすように、それぞれの長さが設定されている。さらに、ＬＵ＜ＬＤの関係式を満たすようにそれぞれの長さが定められることが好ましい。
【００１９】
また、図４に示されるように、傾斜板２６及び足場板２８のステップ軸２２の軸方向に沿った長さＬｂは、ステップ軸２２の軸方向の長さＬｓより短く設定されている。
【００２０】
傾斜板取付部３２は、上階側のステップ軸２２の上部に引っ掛けるためのフック形状を有する。傾斜板取付部３２は、ステップ軸２２の半分程度に引っ掛けることが可能な長さを有している。２つの傾斜板取付部３２は、傾斜板２６のステップ軸２２の軸方向に沿った両端部に１つずつ設置されている。
【００２１】
足場板取付部３４は、下階側のステップ軸２２の上部に嵌め込むための凹部形状を有する。足場板取付部３４は、ステップ軸２２の半分程度に嵌め込むことが可能な長さを有している。２つの足場板取付部３４は、足場板２８の底面部に所定の間隔をあけて設置されている。
【００２２】
続いて、上記構成のエスカレータ１２の作業用足場１０の作用について説明する。エスカレータ１２は、作業員によって、例えば、部品の点検、調整、交換などの定期的な保守点検作業が行われる。保守点検作業の一環として、ステップ２０が取り外されて、ステップ軸２２が露出した状態で、トラス内部の機器等の点検作業等が行われる。
【００２３】
この点検作業の際に、作業用足場１０を隣接するステップ２０間に取り付ける。具体的には、傾斜板取付部３２を上階側のステップ軸２２の上部に引っ掛けて、足場板取付部３４を下階側のステップ軸２２の上部に嵌め込む。これにより、作業用足場１０の位置決めがなされ、作業員は、足場板２８を足場として移動することができる。
【００２４】
上述したように、傾斜板２６の長さＬＵと足場板２８の長さＬＤの和は、隣接するステップ軸２２間の長さＬＳよりも長い。そして、長さＬＵと長さＬＤによって自然に傾斜板２６と足場板２８の位置が決まり、隣接するステップ軸２２間の傾斜角度に比べて、足場板２８の傾斜角度が緩やかになる。これにより、足場板２８をほぼ水平状態とすることができる。したがって、作業員は安定した状態で移動を行うことができるという利点がある。
【００２５】
さらに、図４に示されるように、傾斜板２６及び足場板２８の長さＬｂは、ステップ軸２２の長さＬｓより短い。このため、足場板２８によって覆われた領域は足場としつつ、残りの開口領域を利用してトラス内の機器等の点検作業を行うことができる。また、必要に応じて所定箇所の作業用足場１０を取り外して点検作業のためのより広い開口部を設けることもできる。
【００２６】
上記のように、保守用足場１０の傾斜板取付部３２及び足場板取付部３４をステップ軸２２の上部に取り付けると、傾斜板取付部３２及び足場板取付部３４は、ステップ軸２２の上側の半分に係合することとなる。これにより、作業員が足場板２８に乗った場合にもステップ軸２２から外れにくいという利点がある。また、保守点検の終了後は、傾斜板２６又は足場板２８の底面側から上方に力を加えることで容易にステップ軸２２から取り外すことができる。
【符号の説明】
【００２７】
１０  作業用足場、１２  エスカレータ、１４  乗客、１６  傾斜部、１８  直線部、２０  ステップ、２２  ステップ軸、２４  トラス、２６  傾斜板、２７  段差領域、２８  足場板、２９  水平領域、３０連結部、３２  傾斜板取付部、３４  足場板取付部。
【図１】
2015020844.tif 000003
【図２】
2015020844.tif 000004
【図３】
2015020844.tif 000005
【図４】
2015020844.tif 000006